【手続補正書】
【提出日】平成24年11月8日(2012.11.8)
【手続補正１】
【補正対象書類名】明細書
【補正対象項目名】全文
【補正方法】変更
【補正の内容】
【発明の詳細な説明】
【発明の名称】大画面携帯型ＬＥＤディスプレイ
【技術分野】
【０００１】
本出願は、「Ｅｌｅｃｔｒｏｎｉｃ  Ｄｉｓｐｌａｙ  Ａｓｓｅｍｂｌｙ」と称される、２００９年６月１５日提出の米国仮出願第６１／１８６，９６８号の優先権を主張し、これは本書に援用される。
【背景技術】
【０００２】
本発明は、大型電子ディスプレイに関し、特に携帯型大画面ディスプレイに関する。
【０００３】
大画面ディスプレイは、一般にスポーツイベントや他の公の集会で設置されるが、通常大きな固定された装置である。このようなディスプレイは一時的に設置され除去されるが、ディスプレイの欠陥や故障した部品を特定し修理するのは難しいので、これは非常に時間のかかるものである。
【０００４】
したがって本発明の第１の目的は、携帯型で、堅牢で、修理が容易な大画面ディスプレイを提供することである。
【０００５】
本発明の更なる目的は、このような携帯型ディスプレイを運搬および保護するための手段を提供することである。
【０００６】
本発明の更なる目的は、携帯型ディスプレイが携帯および格納用に薄く、相対的に軽量であるということである。
【０００７】
本発明の更なる目的は、運搬を容易にするために様々な携帯型格納式のディスプレイを提供し、様々な現場に設置することである。
【発明の概要】
【０００８】
本発明では、第１の目的は、携帯型ディスプレイにおいて、軸と、前記軸に沿って側方に間隔を隔てた関係で前記軸に取り付けられる複数のケーブルと、フレキシブル電子ディスプレイ面であって、垂直および水平アレイの少なくとも１つの複数の水平に細長い実質的に剛体の要素において、各々の剛体の要素が正面および背面を有し、規則的な間隔の画素を形成するよう側方に配列した複数のＬＥＤを含み、当該複数のＬＥＤが各々の剛体の要素の電力および信号制御モジュールに接続されている、剛体の要素と、隣接する剛体の要素の制御モジュールのそれぞれの間にフレキシブルな信号および電力接続部とを有する、フレキシブル電子ディスプレイ面と、前記軸から前記ケーブルの対向端に固定された棒材とを具え、各ケーブルが各垂直アレイ内の剛体の要素の背面に取り付けられており、これにより前記ケーブルを引っ張ると、隣接する剛体の要素にＬＥＤの規則的な垂直間隔が提供され、前記複数の水平に細長い剛体の要素のそれぞれの内および間に画素の均一な間隔が提供されることを特徴とする携帯型ディスプレイによって達成される。
【０００９】
本発明の別の目的は、携帯型ディスプレイキャリアにおいて、対向側に配置された少なくとも２つの間隔を隔てた車輪を有する細長い車台と、上向きの開口を有し、前記車台に配置され、巻き上げたフレキシブルディスプレイを入れるための容器と、当該容器の端部で車台より上に垂直に伸ばすことが可能な２以上の剛体の支柱部材とを具え、各々の剛体の支柱部材は、フレキシブルアレイが前記容器から巻き戻されるときに前記フレキシブルアレイの直立移動を駆動するための連結部を有することを特徴とする携帯型ディスプレイキャリアを提供することによって達成される。
【００１０】
本発明の上記および他の目的、効果、特徴、および利点は、添付する図面と共に取り扱われる実施形態の以下の記載からより明らかになるであろう。
【図面の簡単な説明】
【００１１】
【図１】図１は、観賞用にキャリア／トレーラ上の格納キャニスタから広げられたフレキシブル電子ディスプレイ画面の斜視図である。
【図２】図２は、格納および運搬用にフレキシブル電子ディスプレイ画面をキャニスタ内に収納させたときのキャリア／トレーラ上のキャニスタの斜視図である。
【図３】図３は、図１の少なくとも部分的に広げたフレキシブルディスプレイの正面図であり、そのモジュール構造の更なる詳細とキャニスタに格納するための軸の付属部品を示す。
【図４】図４は、図３の背面図である。
【図５】図５Ａは、電子ディスプレイが少なくとも部分的に広げられたときに図３の断面基準ラインＡＡを通る横断立面図である。図５Ｂは、電子ディスプレイが少なくとも部分的に広げられたときに図３の断面基準ラインＢＢを通る横断立面図である。
【図６】図６Ａは、図４の支持部分の背面図である。図６Ｂは、図６Ａの支持部分の正面図である。図６Ｃは、図６Ａおよび図６Ｂの支持部分の側立面図である。図６Ｄは、複数の画素を含む図６Ａの支持部分のリーフの正面図である。
【図７】図７は、電子ディスプレイをキャニスタ内に収納させたときの図３の断面基準ラインＡ−Ａを通る横断立面図である。
【図８】図８は、電子ディスプレイおよび拡張／収納システムへの電力および信号分配の電気回路図である。
【図９】図９は、図１と似た斜視図であるが、引っ張り棒またはディスプレイ画面の端部をキャニスタより上に持ち上げるメカニズムを示すために電子ディスプレイ画面を省略している。
【図１０】図１０は、図９の持ち上げるメカニズムの詳細図である。
【図１１】図１１は、トレーラの部分的に広げた電子ディスプレイ画面の別の実施形態の斜視図である。
【図１２】図１２Ａは、第１の実施形態に係るディスプレイの組み立てた一部の斜視図であり、図１２Ｂは、図１２Ａの分解した一部の図である。
【図１３】図１３は、図１５で示す位置Ａ−Ａで切り取られた、図１２Ａおよび図１２Ｂのディスプレイの一部の横断立面図である。
【図１４】図１４は、図１５の位置Ｂ−Ｂで切り取られた、図２３Ａおよび図２３Ｂのディスプレイの一部の横断立面図である。
【図１５】図１５は、それぞれ図１３および図１４に示す断面Ａ−ＡおよびＢ−Ｂの位置を示す図１２−図１３のディスプレイの一部の正面図である。
【図１６】図１６は、図１２Ｂの分解図の拡大図である。
【図１７】図１７は、図１６の分解図の拡大図である。
【図１８】図１８は、図１６の分解図の異なる拡大図である。
【図１９】図１９Ａは、前図に示すヒンジの第１の実施形態の正面を示す斜視図であり、図１９Ｂは、その背面を示す斜視図である。
【図２０】図２０Ａは、図１９Ａおよび図１９Ｂのヒンジの側立面図であり、図２０Ｂは、それらの正面を示す平面図である。
【図２１】図２１は、格納および運搬用にディスプレイが巻き上げられたときの構成において前図に示すヒンジアセンブリの斜視図である。
【図２２】図２２は、図２１の側立面図である。
【図２３】図２３は、より大きなディスプレイを形成する取り付け前の図１２Ａの隣接するブレードの隣接する部分の正面斜視図である。
【図２４】図２４は、より大きなディスプレイを形成する取り付け後の図１２Ａの幾つかの隣接するブレードの隣接する部分の正面斜視図である。
【図２５】図２５Ａは、より好適な実施形態のヒンジを配置するディスプレイの代替実施形態の分解斜視図であり、図２５Ｂは、そのディスプレイ基板の背面の斜視図である。
【図２６】図２６は、ディスプレイの一部を通る側立面図であり、ＬＥＤ基板がカバーによって保護されている。
【図２７】図２７は、図２６に示すカバーの好適な実施形態を示す図である。
【図２８】図２８は、信号分配および代替バスを介した経路選択のための電気回路図である。
【図２９】図２９は、モータを支えるトラスフレーム内に配置し、格納、運搬および設置を容易するためにロール状に準備した電子ディスプレイの実施形態を示す図である。
【図３０】図３０は、電力および信号ケーブルを取り付け、コネクタを連結した接続ヒンジの斜視図である。
【図３１】図３１は、電子ディスプレイ基板への電気的および機械的な接続を示す図３０のコネクタおよび取り付けたヒンジの好適な実施形態の分解斜視図である。
【図３２】図３２は、ＬＥＤディスプレイ基板を支える細長いブレード間をヒンジ接続またはケーブル接続で配置した図３１のコネクタの好適な実施形態を示す分解立断面図である。
【図３３】図３３は、追加部品を示す図３１の一部の別の分解斜視図である。
【図３４】図３４Ａおよび図３４Ｂは、図３１−図３３のディスプレイの一部を通る横断立面図であり、図３４Ａはヒンジに隣接しているが信号−電力モジュールのみを介しており、図３４Ｂはヒンジを介している。
【図３５】図３５は、１および複数のブレードアセンブリの平面図であり、複数のブレードを接続して電子ディスプレイを組み立てるために様々な方法で配置された図３０−図３４の様々なコネクタを示す。
【図３６】図３６Ａおよび図３６Ｂは、１および複数のブレードアセンブリの平面図であり、複数のブレードを接続して電子ディスプレイを組み立てるために様々な方法で配置された図３０−図３４の様々なコネクタを示す。
【図３７】図３７は、本発明の別の実施形態を示す分解斜視図であり、ＬＥＤディスプレイ基板を支える細長いブレードが一緒に剛体フレームにタイル状に並べられる。
【発明を実施するための形態】
【００１２】
図１乃至図３７を参照すると、概ね本書で１００と付された新規の改良した大画面携帯型ＬＥＤディスプレイが示されている。
【００１３】
本発明の第１の実施形態に従い、図１がディスプレイ１００の第１の実施形態を示している。ディスプレイ１００は、格納および運搬用に軸１０に巻き付けられるか、またはこれを包むことができるフレキシブル電子ディスプレイ面３０で構成されている。フレキシブル電子ディスプレイ面３０は、垂直アレイ内に複数の水平に細長い相対的に剛体の要素１３０を有し、各要素が規則的な間隔の画素３２を形成するよう配列した複数のＬＥＤを含み、ＬＥＤが画像表示用の電力および信号制御配線を有している。フレキシブル電子ディスプレイ面３０の水平に隣接する剛体の要素間にはコネクタ４０を介したフレキシブルコネクションがある。この画素３２は、図１５でより詳細に示されている。
【００１４】
図１の実施形態では、サポートケーブル２０が相対的に剛体の要素１３０の各々の背面に取り付けられており、隣接画素３２を規定するのに必要な一定間隔でヒンジ機構によりそれらを効率よく接続する。次いで、これらの側方に間隔を隔てたケーブル２０の一端が軸１０に取り付けられる一方、ケーブル２０の対向端が細長い棒または引っ張り棒に取り付けられている。軸１０は、電力および信号制御ケーブル７０４の少なくとも一部を格納するために選択的に中空である。
【００１５】
また、ケーブル２０を持ち上げるために回転ホイールが軸１０に取り付けられていることが好ましい。さらに、ケーブル２０が軸１０に入るための穴がある。図４は、引っ張り棒６０に取り付けられたサポートケーブル２０およびケーブルスティックもしくはブレードクランプと、フレキシブル電子ディスプレイ１００と共に電力／信号ケーブル（スティック−スティック）５０５を巻き付けるためのモータへのスティックコントローラ／電源とを示している。
【００１６】
図５Ａおよび図５Ｂは、軸１０の回転によりキャニスタ２１から広げられた場合の電子ディスプレイ１００を示しており、シャフトまたは軸１０の内部の電力およびデータケーブルを伴う電力／データ分配ノード７０８を含んでいる。
【００１７】
図５Ａは、図３の断面Ａ−Ａで切り取られ、上方に広げられた電子ディスプレイ１００を有するキャニスタの断面図である。図５Ｂは、図３の断面Ｂ−Ｂで切り取られ、上方に広げた電子ディスプレイ１００を有するキャニスタの断面図であり、サポートケーブル２０によって広げられたフレキシブル電子ディスプレイ面３０を示している。
【００１８】
複数の垂直アレイ内の相対的に剛体の支持体要素は、互いに隣接して配置される。各々の剛体の要素は、フレキシブルコネクタによって隣接列の側方に隣接する要素に接続されている。キャニスタ２１は、図５および図７に示されるように、両端で回転可能に係合する軸を入れ、かつ巻き付けられた、もしくは巻き上げられたディスプレイを入れるために提供される。
【００１９】
図６Ａ−図６Ｄは、垂直アレイ内の水平に細長い相対的に剛体の要素１１０にＬＥＤアレイを組み立てるための一実施形態をさらに詳細に示しており、各要素は規則的な間隔の画素３２を形成する複数のＬＥＤを含み、ＬＥＤが画像表示するために電力および信号制御配線１４０を有し、これはキャリア、制御部、その電源を含み、選択的に１以上の電源を伴う複数の制御部がある。
【００２０】
図７は、図３の断面Ａ−Ａで切り取られ、収納された電子ディスプレイ１００を有するキャニスタ２１の断面図である。引っ張り棒６０は、剛体の水平のディスプレイ要素１３０の垂直に隣接する最後のセットに連結されている。サポートケーブル２０は、軸１０の周りに巻き付けられ、フレキシブル電子ディスプレイ１００を巻き上げ、位置合せランプ７０２は軸１０の一部に配置されることが好ましく、回転ホイール７０３に沿って軸１０の内部に電力およびデータケーブル７０４を導く。
【００２１】
図８は、モータ８０３に整流器８０２を介して発電設備８０１から電力を分配するための一構成を示しており、これはトレーラの制御部８０４を介して選択的に通信する。また、電力ケーブル発電機フェイルオーバスイッチ８０と、電気機械インターフェイス８０６と、任意のカスタマインターフェイス８０７（ＲＪ４５インターフェイスなど）と、好ましくは整流器フェイルスイッチ８０８とがある。
【００２２】
用語「ケーブル」は、ロープおよびワイヤケーブルに加えて、例えばチェーンや自転車のギヤリンク機構のように、曲がりやすいアセンブリのリンク機構などの他のフレキシブルな機械的な部材を含むように意図している。
【００２３】
さらに用語「接続手段」は直接接続されており、ここで用語「連結手段」は直接連結されるか、または一般に連結要素に接続される１以上の追加部材を介して連結される。一般に、これとは反対の用語がない限り、直接接続される要素は連結してよい。
【００２４】
軸１０はキャニスタ２１または代替的なサポート構造もしくは格納構造内で回転することができるので、棒６０を十分に引っ張るとフレキシブル電子ディスプレイ面３０が伸びる。棒６０を十分に引っ張ってケーブル２０に十分な張力を提供すると、細長い相対的に剛体の要素１３０のアセンブリが剛体になり、機械的に安定する。
【００２５】
図６に示すより好適な実施形態では、１つの画素３２を形成する４つのＬＥＤが、相対的に剛体の支持体要素またはブレード１１０に取り付けられるリーフもしくはＬＥＤディスプレイ基板１３０上で側方に配列されている。この実施形態の支持体は、幅方向に４つと高さ方向に２つの、細長いリーフまたはＬＥＤを支えるディスプレイ基板１３０のマトリクスを有し、１つのリーフの詳細については画素３２を含むＬＥＤセットが図６Ｄに強調表示されている。より一般的には、各々の相対的に剛体の支持体要素１３０またはブレード１１０が水平に配列された少なくとも２つのリーフまたはＬＥＤ基板を有している。
【００２６】
このようにディスプレイ１００は、フレキシブル電子ディスプレイ面３０を複数の細長い相対的に剛体の要素１３０から組み立てることができ、スポーツイベントや大きな公の集会で遠くで観賞するために大型の６フィート以上の幅もしくは高さのディスプレイを形成する。ディスプレイ１００はＬＥＤを用いているので、十分に明るく日中に使用することができる。さらにディスプレイ１００は、フルカラー映像を再生するために高速なリフレッシュレートを有することも可能である。
【００２７】
複数の細長い相対的に剛体の要素１３０を軸１０の周りに巻くことによってケーブルの張力が解放されるとディスプレイ１００を巻くことができるので、巻いたディスプレイはトレーラ２５で牽引し、これが配置用に展開されるまで保護キャニスタ２１に格納することができるという点で携帯型である。さらに、他の実施形態で示されるように、トレーラ２５に取り付けたままディスプレイ１００を配置可能である。ディスプレイ１００の構成は、相対的に大きいサイズにも拘わらず、適度な風雨状況で機械的安定性を備えている。
【００２８】
複数の細長い相対的に剛体の要素１３０の各々のモジュール構造とそれらの間の密閉した接続が耐候性を備えることができる。図６に示す複数の細長い相対的に剛体の支持体要素１３０の各々のモジュール構造が欠陥のあるディスプレイ要素の修理と交替を容易にする。
【００２９】
各々の剛体の要素の背面の電力および信号制御モジュールは、各々の剛体の要素のリーフ内のＬＥＤに電力を供給し制御する。各々の制御および電力分配モジュールは、図６Ａに示すように、相対的に剛体の支持体要素の背面に配置され、これは並列の電気的接続を提供するバスを介して次の隣接する相対的に剛体の支持体要素の対応するモジュールに直列（図４）で物理的に接続される。ディスプレイ１００は、ディスプレイ１００への電気的接続を切断して再接続する必要なく、巻き上げて格納および再配置することができる。
【００３０】
図２９は、支持する横桁により概ね４つの開口であるが剛体の面を有するトラス部材の形態のキャニスタ２１の代替実施例を示している。トラス部材は、モータ８０３とローラ芯もしくは軸１０を支持する。
【００３１】
各々の相対的に剛体の支持体要素は外部に延在する柔軟性パッドなどのプロテクタを有することがより好ましく、ディスプレイが格納するため軸に巻かれるとき、または使用するためキャニスタ２１から引き抜くときに、１つの支持体要素の背面もしくは背面の要素がリーフおよびＬＥＤなどの別の支持体要素の正面を損傷するのを防止する。
【００３２】
図３に示すように、信号および電力分配バスは軸周りに配置されており、剛体の要素の垂直列で制御および電力分配モジュールの各々に並列接続を生成する。
【００３３】
さらに、配置された状態でエッジ支持体要素の無いものは、ワイドスクリーンのパノラマビューを作成するなど、より大きなディスプレイアセンブリに継ぎ目のないタイル張りのマルチディスプレイ１００を提供する。
【００３４】
ディスプレイは少なくとも６フィートの幅または高さであり、これはスポーツイベントおよび大きな公の集会で遠くから観賞するよう十分に大きい。
【００３５】
ディスプレイは、屋外で日中使用する際に目に見えるよう十分な明るさの光を発する。
【００３６】
ディスプレイのビデオコンテンツは、フルカラー動画ビデオを表示するのに十分な速度でリフレッシュすることが可能である。
【００３７】
図１、２、９および１０に示すように、ディスプレイはトレーラ２５で牽引することができ、配置用にこのキャニスタ２１から展開されるまでトレーラ２５に取り付けられた保護キャニスタ２１に格納することができる（図１）。さらに、ディスプレイはトレーラ２５からキャニスタ２１を取り外す必要なくキャニスタ２１から配置することができる。
【００３８】
さらに、その相対的に大きなサイズにも拘わらず、リフト機構とケーブルが適度な風の状況で広げたディスプレイを安定させる。
【００３９】
ディスプレイは耐天候性であるため、雨が降っても安全に操作することができる。
【００４０】
電力および制御モジュールの物理的接続は、剛体の要素と一緒に巻くことが可能なフレキシブルなケーブルまたはワイヤであり、少なくともケーブルと同じくらい曲がりやすい。複数のケーブルは各々の相対的に剛体の支持体要素の背面に取り付けられ、中央に配置された電力および制御モジュールの反対側に配置されることが好ましい。
【００４１】
軸１０は中心の支軸と側方に間隔を隔てた複数のより大きな直径のローラを有しており、軸が回転してケーブルがローラに巻き付けられるときに剛体の要素を支える。
【００４２】
図１、２、９および１０は、丸めたもしくは巻いたディスプレイ１００を運ぶための少なくとも２つの車輪２９を有する車体２７を示している。巻かれたフレキシブルディスプレイを入れるためのキャニスタ２１は車台２７に水平に配置され、車輪の軸に直交するキャニスタ２１の主軸を有することが好ましい。
【００４３】
キャニスタ２１の端部で車台２７より上に垂直に伸ばすことが可能な剛体の支柱部材は、ディスプレイがキャニスタ２１から巻き戻されるときに棒材の垂直移動を拘束する手段を有している。棒材の垂直移動を拘束する手段は棒、ケーブルまたはレバー配置であり、油圧、空気圧、電力または手動によって駆動される。ディスプレイが巻き上がるときに消灯することが好ましい（またこれが展開するときに点灯することができる）。
【００４４】
図１、２、９および１０の輸送システムはさらに、悪天候にキャニスタ２１内にディスプレイを自動的に収納する手段を含むことが好ましい。例えば、ディスプレイは、図１１のマストまたは垂直支持アーム上の風速計１１０１で風が特定の測定速度（屋外の構成で）に達したときに表示する。
【００４５】
この風速計１００１は風速を測定し、選択的にディスプレイ収納手段の制御部と通信する。自動化手段は、気象予報と緊急警報を受信するラジオビーコンと、位置を測定し、測定した予報と警報と比較するＧＰＳと、ディスプレイサポートまたはケーブルに取り付けた力学および／または運動センサの出力を用いるステップとを含むことができる。
【００４６】
代わりに、ディスプレイキャニスタ２１は運搬トレーラ２５から切り離してもよいし、水平に上から吊されてもよい。この構成では、ディスプレイが垂直に下方へ展開することによって配置される。
【００４７】
別の実施形態では、ディスプレイキャニスタ２１は運搬トレーラ２５から切り離し、垂直に吊してもよい。この構成では、ディスプレイ１００が水平に展開することによって配置される。
【００４８】
ディスプレイ１００は、トレーラ２５にまたはそこから離して配置することができる。トレーラ２５は、ディスプレイを置いておくときに地面まで伸びる様々な機械的なスタビライザ１６を含む。
【００４９】
電源は、図８に示されるような電気ケーブルまたは発電機８０１の何れかであり、これはディスプレイ１００と、引っ張り棒６０を上方へ動かすことによってキャニスタ２１から電子ディスプレイ１００を展開する手段である拡張収納メカニズムとに電力を供給するため、トレーラ２５に携帯電源を含むことができる。一実施形態では、展開手段が図９および図１０に示すレバー配置であり、油圧、空気圧または電気式アクチュエータ１００１によって動力を供給される。これは、（ケーブルに均一な張力を維持するアクチュエータを制御するのに用いられる棒材に）傾斜センサを含むことができる。装置の他の動作部品を良好に示すため、図１０からディスプレイ画面が省略されており、これは引っ張り棒６０と車台との間の共通の終端１００４がヒンジで構成された上部アーム１００２と下部アーム１００３の２セットを含む。上部のペアのアームのそれぞれは、引っ張り棒６０の対向端６０ａおよび６０ｂが、もしくはその近くがヒンジによって動く。棒材の各ペアの上端および下端の間には、別個のペアの油圧アクチュエータ１００１および１００１’がある。第１のペアまたは下部ペアのアクチュエータ１０００’は、車体の端部２７ａおよび２７ｂの間で回転ヒンジ１００２を介して車台２７に連結され、ここから下部アーム１００３が回転ヒンジを介して回転する。下部アクチュエータの他端は、上部アーム１００２にヒンジ接続１００４する前に下部アーム１００３にヒンジ接続する。アクチュエータ１０００の上部ペアは同様に、端部６０ａおよび６０ｂとその中点との間で引っ張り棒６０にヒンジ接続し、対向端で上部アーム１００２の概ね中点にヒンジ接続している。したがって、ペア１０００と１０００’の４つのアクチュエータ全ての起動は車台２７に平行な引っ張り棒６０を持ち上げ、電子ディスプレイ１００を持ち上げることによる。他の実施形態に記載されているように、ケーブル２０は１セットのヒンジであり、持ち上げた位置から電子ディスプレイ１００を降ろすためモータ８０３を用いることが好ましい。
【００５０】
代わりに、図１１に示すように、展開手段は、巻き上げケーブル１１０３を介して引っ張り棒６０に接続された巻き上げ機１１０２である。２以上の剛体の支柱部材１１０４および１１０４’は、キャニスタ２１の端部で車台２７より上に垂直に伸び、各々の剛体の支柱部材は、キャニスタ２１から巻き戻されるときに少なくとも引っ張り棒６０の垂直移動を拘束してフレキシブルアレイを上方に広げるための通路またはレールを有する。
【００５１】
さらに、ディスプレイ１００および関連するシステムは、アンテナ１００９を介してワイド放送ストリーム（すなわち広告）から画像、メッセージなどを受信するための放送受信機または中継器１１０５を含む。
【００５２】
図１２−図３７は、一般に電子ディスプレイ１００の別の実施形態の様々な態様を示しており、これは垂直アレイ内に複数の水平に細長い相対的に剛体の要素１３０を有し、各要素が規則的な間隔の画素３２を形成するよう配列された複数のＬＥＤを含み、ＬＥＤが画像表示するために電力および信号制御配線を有している。図１２および図１３に示す本発明の代替実施形態では、水平に細長い相対的に剛体の要素が背面のヒンジを介して互いに接続されるとき、ケーブルは引っ張り棒６０にのみ取り付けられる必要がある。
【００５３】
電子ディスプレイ面３０は、細長いブレードの取付と接続により曲がりやすくなる。図３６−図３７に示す実施形態では、選択した部品が剛体のフレーム４２０に取り付けられるが、コネクタとバスを含む構成の好適な実施形態は、ＬＥＤが視聴者または観客に見える正面から完全な組み立て、修理および保守を行うことができる。
【００５４】
電子ディスプレイ１００のこのような代替実施形態によれば、図１２Ａおよび図１２Ｂは、連結ヒンジ１２０によって接続されるブレードアセンブリ１１４として形成された水平に細長い相対的に剛体の要素１３０の分解部品の第１要素を示している。したがって、ディスプレイ１００は複数の水平に向いたブレードアセンブリ１１４を具え、それ自体は水平に向いた細長い部材またはブレード１１０ごとに少なくとも２つの連結ヒンジ１２０および１２０’を有する剛体の細長い支持部材１１０（これは本書でブレードともいう）を含む。図１２Ａは、他の部品のない状態のブレード１１０の垂直アレイ１１９を示しており、複数の垂直アレイ１１９および１１９’がどのように水平に連結されてディスプレイ部品のマトリクスを形成するかを示している。図１２Ｂは、たった１つのブレード１１０に取り付けられたブレードアセンブリ１１４の部品を示す分解斜視図である。ヒンジ１２０および１２０’は、互いに間隔を隔てるブレード１１０の背面と各ブレード１１０の垂直端部とを接続する。ヒンジ１２０はブレードの一部でもよいが、実際には構成、組み立ておよび保守を容易にするためにそれらは以下でさらに記載されるような別個の要素であることが好ましい。２以上のＬＥＤディスプレイ基板１３０は、ヒンジ１２０と１２０’の対向面である正面に配置されている水平に向いた細長い部材１１０の端から端へ配置される。この実施例では、３セットのＬＥＤ基板１３０、１３０’および１３０”がブレード１１０の正面に取り付けられる。信号−電力分配モジュール１４０は電力分電盤１６０を含み、ブレード１１０の背面に取り付けられ、図１７に示すように、開口１１１を介してブレード１１０を通って伸びるプラグおよびソケット型コネクタ１４１および１４２によりＬＥＤ基板１３０’および１３０”に電気的に接続する。信号−電力分配モジュールは能動素子を含み、これは画像を符号化する信号を復号し、画像符号化および多重化方式に応じて、どの画素３２が電力および電力レベルを受信するかを制御する制御部またはスイッチにこの信号を送る。またＬＥＤディスプレイ基板コネクタ１５０はブレード１１０の背面に取り付けられ、図１８に示すように、ＬＥＤ基板１３０および１３０’に電気的に接続する。この実施形態のＬＥＤ基板コネクタは２つの多ピンプラグ１５１および１５２を有しており、これはＬＥＤ基板１３０および１３０’の背面のソケットにそれぞれ連結する。対応するプラグがＬＥＤ基板１３０、１３０’または１３０”の裏側に用いられる場合、プラグ１４１、１４２、１５１および１５２はソケットでもよいことを認識されたい。ブレード１１０はコストのかからない外形に成型され、以下でさらに記載される他の部品と接続および整列するために規則的に型押しまたは切断した開口および穴を有することが好ましい。好適なヒンジ１２０によって接続された好適なブレード１１０を配置することにより、ＬＥＤ基板１３０を含むディスプレイ１００は１インチ（２５ｍｍ）以下の厚さになる。このようなディスプレイ１００は、展開されるときに垂直にまっすぐ垂れ下がる。
【００５５】
ＬＥＤ基板１３０、１３０’および１３０”の水平アレイは実質的にブレード１１０と同じ幅であるため、垂直アレイもしくは列１１９の連結はＬＥＤ基板１３０の左端からＬＥＤ基板１３０”の右端までである。基板の垂直および水平の端部から各ＬＥＤ基板の最後の画素までの垂直および水平距離はピクセル幅の半分であり、これによりディスプレイ１００の画素の集合体は隙間もしくは継ぎ目がなく、図１２Ｂに示す基本ユニットから特注寸法の大型ディスプレイを生成することができる。ヒンジ１２０、ブレード１１０およびＬＥＤ基板１３０のそれぞれは、少なくとも１つの中央の整列穴１２５を有しており、隣接するブレードの画素を登録する組み立てを容易にする。整列穴１２５は、上部の２つのシャックル１２２と下部の中央のシャックル１２３との間で等距離に配置されることが好ましい。
【００５６】
各ブレードアセンブリ１１４の組み立て中に、ピン１２５ａは各ＬＥＤ基板１３０の２つの整列穴１２５を通して挿入され、これによりさらにブレード１１０の対応する整列穴１２５を少なくとも通過し、各々のＬＥＤ基板１３０および１３０”のそれぞれの少なくとも１つの点または位置に対する、さらにヒンジ１２０および１２０’の整列穴１２５をそれぞれ通過する。各ＬＥＤ基板１３０が対向端部に２つの整列穴１２５を有し、各ブレード１１０が側方の列に３つのＬＥＤ基板１３０を支えるよう分配された６つの整列穴１２５を有することが好ましい。
【００５７】
図１９−図２０は、他のディスプレイ部品を支える連結ヒンジ１２０の好適な実施形態をより詳細に示している。ヒンジ１２０は、一方の端部に上部の２つのシャックル１２２と、他方の端部に下部の中央のシャックル１２３とを配置したほぼ矩形のヒンジプレート１２１を含むことが好ましい。したがって、上部ブレード１１０の下部のシャックルは、ディスプレイの下部ブレード１１０の上部の２つのシャックルのペア１２２の間に滑動するよう意図されている。シャックル１２２および１２３は、各端部に小穴１２４を有し、シャックルピン１２６を受け取り、その間に回転する接続部を形成しており、これにより取り付けたブレードがヒンジ接続する。シャックル１２２および１２３は、図示されるように、ヒンジプレート面１２１から１つの角度で延在し、他のディスプレイ部品がヒンジプレート１２１に取り付けられるときの重心（ＣＯＧ）１２９に一致した共面に小穴１２４を配置することが好ましい。したがってディスプレイ１００が組み立てられる場合、各ブレードのヒンジプレート１２１がシャックルピン１２６の回転軸から窪んでおり、そのＣＯＧ１２９にディスプレイ部品を配置する。
【００５８】
図２１および図２２に示すように、ヒンジ１２０のこの配置によりブレード１１０が相互に回転することができ、移動もしくは格納用のディスプレイ１１０の巻き取りを容易にするだけでなく、展開する場合にディスプレイ１１０がその重さで垂直に垂れ下がるよう確保している。したがって、エッジまたはサイドフレームの使用は観客に用いられる最終的な構成で抵抗がある。
【００５９】
さらに、ＬＥＤ基板１３０がブレード上に配列された時点で、追加セットの穴１２７を介してねじ１２４またはリベット１２８でそれらをそこに取り付けることが好ましく、この実施形態では穴のペアの一方１２７が整列穴１２５より上に、他方１２７’がちょうどそれより下に配置される。図１４に示すように、同じ共通セットの穴１２７を用いるが、リベット１２８ではなく、ねじ１２４で、ヒンジペア１２０および１２０’にブレード１１０とＬＥＤ基板１３０を取り付けることが望ましい。これにより、修理および保守するためにディスプレイ１００の正面においてヒンジ１２０および１２０’からブレードアセンブリ１１４（これはブレード１１０と、取り付けられたＬＥＤ基板１３０と、コネクタ１４０および１５０とを含む）の取り外しが可能になる。したがって、さらに図１６のワイヤ区間５０１ａもワイヤハーネス５００にプラグソケット接続部を有していることが好ましい。また図３０のより好適な実施形態に示すように、このようなコネクタ１４０はヒンジプレート１２１の穴または開口部１３７を通して取り付けることができ、ヒンジプレートの背面に取り付けられる信号−電力分配モジュール１６０の一部であり、これにより保守する人が故障の原因を究明するのに必要な時間や技能を持っていない場合に、ブレードアセンブリ１１４をヒンジ１２０および１２０’から取り外してすぐにＬＥＤ基板１３０、１３０’および１３０”を有する交換用ブレードアセンブリ１１４と全ての能動素子を交換することができる。ワイヤリングハーネス５００はフラットケーブルであることが好ましく、壁に設置される場合にディスプレイ１００に必要な空間を最小化する。
【００６０】
したがって、列１１９および１１９’中の複数のブレード１１０のアセンブリでは、ヒンジ１２０の上部シャックル１２２と下部シャックル１２３は、シャックルピン１２６により接続された場合に各々の垂直に隣接するヒンジ１２０’および１２０”と軸回転する接続部を形成することができる。
【００６１】
１つのブレード１１０幅の表示列の複数の水平アレイは連結して任意の幅のディスプレイ１００を形成することができ、いつでも追加ブレード１１０を各列に追加してディスプレイ１００の長さまたは高さを拡張することができることをここで認識されたい。したがって、これらの隣接する列のブレード１１０の側方接続を可能にするために、水平に向いた細長い部材／ブレード１１０が対向する水平端部に連結エッジコネクタ１１０ａおよび１１０ｂを有することが好ましい。延在する雄部材１１０ｂは、隣接するブレードの対向側の雌連結部材１１０ａ内に適合するよう意図されており、図２４に示す接続を形成する。図２３に示すように、連結エッジコネクタ１１０ａがボールおよびソケット型連結により１１０ｂに接続され、エッジコネクタ１１０ｂの対向する水平部分のボール１１２ａおよび１１２ｂがばね荷重されていることがより好ましく、これにより他方のエッジコネクタ１１０ａの対応する相互形成されたソケット１１３ａ及び１１０ｂに連結して噛み合うことができる。
【００６２】
ＬＥＤディスプレイ基板１３０は、異なる色の３つ以上のＬＥＤ１３１により規定される複数の画素３２を有し、各々の特定のＬＥＤに信号と電力を適切に送り、時間同期した色と輝度を制御し、ユーザまたは観客によって直接観賞されるビデオ画像を投影するための複数の集積回路と導体線を含む。
【００６３】
図１６は、１つのブレード１１０の複数のＬＥＤの内部ワイヤの第１の実施形態を示しており、ここでは信号および電力が電気バスのワイヤ束またはケーブル５００で垂直アレイのブレードアセンブリ１１４に分配される。電力および信号は、電力および信号コネクタ１４０へのワイヤまたは回路区間経路５０１ａと各ブレードアセンブリ１１４の電力分電盤１６０を介してバス５００からＬＥＤ基板１３０、１３０’および１３０”に分配される。電力および信号コネクタ１４０はワイヤ区間経路５０１ｅを介してＬＥＤ基板１３０’および１３０”に連結し、バス５００から受信した映像信号を復号する際に電力分電盤の動作に応じて信号および電力を送る。ＬＥＤ基板１３０’は、ＬＥＤコネクタ１５０にワイヤ経路区間５０１ｃを介して信号および電力を送り、次いでこれは区間５０１ｄを介してＬＥＤ基板１３０に接続される。各ワイヤ経路は、複数のＬＥＤに電力および信号を運ぶよう意図されている。ＬＥＤ基板１３０はそれぞれ、取り付けられた集積回路１３４による付加信号送信手段を有する。ワイヤ経路は上述したようにペアの並列の導体線またはワイヤを含むことができ、電力および信号は分離されるか、信号が電力供給に多重化された１つのラインである。
【００６４】
ディスプレイ１００と連結部品の双方は、接続部のガスケットおよび全ての配線盤でシールコーティングもしくは絶縁保護コーティング、オーバーモールド、Ｍａｃｒｏｍｅｌｔ（登録商標）等によるカプセル化など、従来の耐候性手段を用いて、悪天候用に防水加工されることが好ましい。
【００６５】
図２５Ａおよび図２５Ｂに示すより好適な実施形態では、バス５００が電力および信号制御部１４０に接続され、従ってヒンジ１２０を介して電力分電盤１６０に接続されている。ヒンジ１２０はヒンジプレートの隙間に配置され、ヒンジプレート１２１から延在して、図２５Ｂの側面１３０ｂの連結プラグでＬＥＤ基板１３０に接続する多ピンコネクタ１４５を有する。コネクタ１４５のヒンジ１２０の対向面はワイヤ端子または別のプラグもしくはソケットの何れかを有し、バス５００のワイヤ、コネクタに接続する。したがって、ＬＥＤ基板１３０はバス５００、このＬＥＤ基板１３０の回路経路５０１ｄに接続され、図１６−図１８に示す実施形態のように、電力および信号制御部１４０に接続し、他方のＬＥＤ基板１３０’および１３０”に電力および信号を提供する。ヒンジ１２０を用いてブレードアセンブリ部品にバス５００を接続する場合、電力分電盤１６０などの能動素子はブレード１１０の異なる位置に配置し、ヒンジに結合することができ、本書で記載された好適な実施形態に限定する必要がないことを認識されたい。
【００６６】
より好適な実施形態では、各々の水平の剛体の部材に渡って保護カバー１１５がある。図２６に示すように、保護カバー１１５はＬＥＤ基板１３０に渡って配置される。保護カバーは選択的に透明であり、ＬＥＤのそれぞれの周りのＬＥＤ基板１３０の正面が反射することのない黒色である。代わりに、保護カバー１１５は黒で不透明とすることができるが、図２７に示すようにＬＥＤ１３１のそれぞれに対して切り抜かれた穴１１７を有する。各ＬＥＤ１３１によって発せられた光錐は、矢印および円弧１６０１により表わされる。穴１１７は、ＬＥＤの発光を隠さないようＬＥＤ１３１からの距離に基づいて、十分な直径を有する。この実施形態ではカバーがリーフ基板１３０から分離されているが、より好ましくはカバーがリーフ基板上に直接成形される。
【００６７】
また、保護カバー１１５の何れか実施形態は、さらに屋外のディスプレイの太陽放射加熱を最小化する熱制御手段を含むことが好ましい。図２７では、午後の太陽からの熱放射が平行光線１６０２によって表わされており、通常ＩＲ放射線によりディスプレイ１００を加熱し、視聴者へ可視光線を反射する。熱制御手段１１６の一実施形態は、暖熱ミラーという多層薄膜コーティングとして示されており、太陽からの赤外線を反射することができるが、透明であり、ＬＥＤ１３１の周りのＬＥＤ基板１３０の黒色部分１３２によって吸収される可視光を透過する。好ましくはコーティング部分または黒色の反射しない部分が可視光線を吸収するので、光線１６０２はカバー１１５から視聴者に反射されない。さもなければ視聴者への可視光線の反射が表示コントラストを最小化するか、または幾つかの視聴条件でより高輝度のＬＥＤが必要になる。このようなコーティングはＵＶ光を遮ることができ、ディスプレイを形成する基礎材料を保護する。
【００６８】
熱制御手段を支持する保護カバーの基材は、選択的に十分に透明であるか、または選択的にやや半透明であり、光を拡散する。
【００６９】
このような熱制御多層コーティングは、２００２年５月２１日にＲｕｓｓｅｌｌらに発行された米国特許第６，３９１，４００号と、１９９４年４月２６日にＨｏｏｄに発行された米国特許第５，３０６，５４７号に記載されており、これら双方は本書に援用される。
【００７０】
図２８に電気回路図として示す別の好適な実施形態では、垂直に配列されたヒンジ１２０の第１セットが第１バス回路５００にワイヤ接続を提供し、これはスイッチング回路１７００を介して、映像源１０００から信号および電力を受信する。垂直に配列されたヒンジ１２０’の第２セットは、ブレードの垂直アレイに隣接するヒンジ１２０’を含み、第２またはバックアップバス回路５００’を提供し、バス回路５００に欠陥があるか、故障していることを検証しなければならない。この故障が回路完全性試験により判定されるとすぐに、ディスプレイ１００の通信および動作はスイッチング回路１７０５を介してこのバックアップバス回路５００’に切り替えることができ、次いで回路区間１７０１を介して電力を導く。この場合、同じ電力および信号を区間１７０２の何れかの経路に送ることができ、これにより区間１７０１および１７０２は、第１および第２バス回路５００および５００’と共に、それぞれ回路完全性ループ１７００を形成する。
【００７１】
ディスプレイ１００は屋外使用を意図しているので、全ての電気的接続および部品は、例えば各プラグおよびソケット接続のガスケットによって、同様に絶縁保護コーディングとこの分野で既知の関連する手段によるＬＥＤ基板１３０のプリント回路板および電力および信号モジュール／制御部１４０のシーリングによって、防水加工されていることが最も好ましいことを認識されたい。
【００７２】
ヒンジ１２０およびヒンジシャックル１２２、１２３は図示されたものと異なる構成を有してもなお、同じ機能を達成することができ、隣接するブレード１１０を接続し、隣接面で限られた量の回転を少なくとも可能にし、格納および使用するための巻き取りおよび巻き戻しを可能にすることを認識されたい。このような選択肢は、限定されないが、ヒンジの半分がヒンジピンの軸で滑って離れる従来の「リフトオフ」ヒンジを含む。一度組み立てられると、「リフトオフ部分」は、例えば永久固定によってまたは取り外し可能な部材を介して、使用中および展開中に連結して滑って外れるするのを防止することもできる。代わりに、ヒンジ（または少なくともその一部）は成形部材もしくは押出部材で一体に形成することができ、これは別個の個別部品ではなく、ブレードを形成する。
【００７３】
さらに、ＬＥＤの輝度、色純度および人間の目の感度に応じて、３つまたは４つ以上のＬＥＤを用いて画素を形成することができることを認識されたい。さらに、ＬＥＤ１３１は正方格子以外のパターンで配置することができる。したがって、ＬＥＤ基板１３０当たりの画素の数または画素３２の数の何れも、図に示すものに限定する必要はない。
【００７４】
図２９は本発明のより好適な態様を示しており、巻かれたディスプレイは細長いトラス支持体２９０１内に配置され、そこから展開可能である。このようなトラスまたは支持フレームの２９０１は、水平に延在するよう示される３つまたは４つの細長い主柱２９０２を有し、これは一連のより短い支柱２９０３の端部に接続し、この図で示す矩形などの閉図形を形成する。好ましくは支柱の長さとその剛度に依存して、さらにトラス２９０１の開口面の１以上の横桁２９０４に支柱を接続することが望ましい。横桁は、細長い支柱２９０２に接続し、横断もしくは一定の角度の何れかでそこに延在し、トラス２９０１に更なる剛度を提供する。主柱２９０２と同じ向きで延在する軸１０および軸１０を回転するためのモータは、トラス２９０１内に配置されることが好ましい。トラス２９０１はさらに１つの開口面２９０５、またはディスプレイ１００の幅を持つその一部を少なくとも有しており、これによりディスプレイはモータ８０３で軸１０を回転することによってそこから展開することができる。開口面２９０５は、２つのペアの対向する短い支柱２９０３と、トラス２９０１の下面の隣接するペアの対向する支柱２９０２との間の領域によって規定される。
【００７５】
トラス２９０１は、キャニスタ２１のように、トレーラに取り付けることができるので、開口面２９０５から上方にディスプレイを上げることができ、これは次いで、例えば図１０に示すリフト機構を用いることによって、トラックまたはトレーラ台から上方を向くであろう。代わりに、トラス２９０１は地面より上に取り付けることができ、例えば類似するトラスからもしくは壁にディスプレイを下方へ降ろす。代わりに、トラス２９１０はトレーラ台の短い支柱２９０３の１つでヒンジ連結して配置されるか、もしくはこれに隣接して配置されて上方に傾くことができ、これにより支柱２９０２が垂直となり、ディスプレイは水平に広がることができ、トラス２９０１はこの直立位置で固定される。ディスプレイ１００から伸びる第１列２９０６のヒンジ部品はＬＥＤ基板１３０を含む必要はないが、引っ張り機構への取り付け、またはディスプレイ１００が床面、地面またはトラック台に降ろされるときにそこに取り付けられるアンカー機構への取り付けを簡単にすることができることを理解されたい。
【００７６】
図３０は、信号−電力分配モジュール１４０の実施形態に用いられる好適な連結ヒンジ１２０をより詳細に示している。ヒンジ１２０を用いて複数の電子ディスプレイ基板１１４を支持する矩形の細長いブレードのタイル状アレイを接続する場合、ヒンジ１２０は信号−電力分配モジュール１４０と細長いブレード１１０の双方を支えることができ、これらはＬＥＤ基板１３０のディスプレイ面のＬＥＤ側からアクセス可能なねじもしくは類似のマウントを介して、好ましくは取り外し可能に係合するものを介してそこに連結される。この場合には、信号−電力分配モジュール１４０の連結コネクタおよび選択的に電子ディスプレイ基板３０が、ヒンジ１２０の穴１３７の開口を通過することができる。
【００７７】
より好ましくは、図３１に示すように、信号−電力分配モジュール１４０がブレード１１０の背面に取り付けられる電力分電盤１６０を含み、バスコネクタ１６５がコネクタ１５６によりヒンジ１２０の穴または開口１３７を介して電力分電盤１６０の背面に接続する。したがって、信号−電力分配モジュール１４０は、図１７に示すように、開口１１１を介してブレード１１０を通って伸びるプラグおよびソケット型コネクタ１４１および１４２を介してＬＥＤ基板１３０’および１３０”に電気的に接続する。ここでバスまたはワイヤハーネス５００は、信号−電力モジュール１４０との接続から延在し、各々の細長いブレード１１０の後ろに延在する一連のループされた信号−電力ケーブル５０２および５０２’で構成される。
【００７８】
一続きのケーブル５０２がその中に別個の信号および電力ケーブルを有していることが好ましいが、ワイヤハーネスまたはバス５００はさらにこのような信号−電力ケーブル５０２を２組含むことができ、例えば一方が信号のみを伝送し、他方が電力のみを伝送する。
【００７９】
連結ヒンジは少なくとも１つの開口１３７を有しており、電力分電盤１６０のコネクタ１５１など、信号−電力分配モジュール１４０の少なくとも一部に取り付けられるか、または連結されるコネクタ１５０を受け取る。このコネクタ１２０の用途は、細長いブレード１１０およびＬＥＤディスプレイ基板１３０と共に図３１−図３７に示されている。
【００８０】
この実施形態では、電子ディスプレイ１００が、第１の高さと第１の幅、正面と背面、頂部と底部の対向水平面によって分離される対向側面を有する少なくとも１つの実質的に矩形の細長いブレード１１０で形成される。第２の高さと第２の幅、正面と背面、頂部と底部で対向する水平面によって分離される対向する側面を有する複数の細長いディスプレイ基板１３０は、前述したように各々の矩形の細長いブレードに取り付けられる。各々の細長いディスプレイ基板１３０は、複数の表示画素３２としてその正面に配置されたＬＥＤアレイを有する。各々の細長いディスプレイ基板１３０は背面に第１端子コネクタ１４１を有しており、ＬＥＤアレイのＬＥＤに信号および電力の少なくとも１つを分配する。
【００８１】
図３１および図３３は、ＬＥＤディスプレイ基板１３０を支える細長いブレード１１０間のヒンジ接続もしくはケーブル接続により、またはこの接続なしに用いることができる信号−電力分配モジュール１４０と関連するコネクタの好適な実施形態を示す斜視図である。
【００８２】
図３２は、信号−電力分配モジュール１４０と関連するコネクタの好適な実施形態を示す分解横断立面図である。この形式の信号−電力コネクタ１４０は複数の部品から組み立てられ、ディスプレイ１００のＬＥＤ側からの分解、修理および再加工を容易にしている。この場合、電力分電盤１６０は、能動回路を有するインターフェイス制御部を含み、コネクタ１５６で１つの背面コネクタ１５３を介してバスコネクタ１６５に接続することが好ましい。電力分電盤／インターフェイス制御部１６０は、２つの正面コネクタ１５４および１５５を有する。したがってインターフェイス制御部１６０は、能動回路を介して背面コネクタ１５３のピンまたはソケットに共通するコネクタ１５４および１５５のそれぞれの個々のピンまたはソケットに信号および電力の少なくとも１つを送り、調節する。背面コネクタ１５３はヒンジ１２０の１つの開口１３７を通過し、これによりインタフェース制御部１６０がヒンジ１２０と細長いブレード１１０の間に配置される。代わりに細長いブレード１１０は、それぞれ正面コネクタ１５４および１５５を受け取る２つの別個の開口１１１および１１１’を有し、これはそこを通過して隣接するタイル状のＬＥＤ基板１３０および１３０’の背面の背面コネクタ１４１および１４１’に接続する。インターフェイス制御部１６０は背面ねじ１２４’を介してブレード１１０に固定されており、これにより正面ねじ１２４を除去するとヒンジ１２０およびバスコネクタ１６５からアセンブリ１１４が分離される。インターフェイス制御部１６０の背面コネクタ１５３は、バスコネクタ１６５の正面コネクタに接続する。バスコネクタ１６５は複数の外部ケーブル１５１を有し、それぞれのバスコネクタ１６５を介して表示列の近隣のブレードアセンブリ１１４を少なくとも接続する。選択的に、図３３で示すように、バスコネクタ１６５はエンドキャップ板１７５を介してヒンジ１２０に接続される。
【００８３】
図３４Ａおよび図３４Ｂは、図３１−図３３のディスプレイ１００の一部を通る横断立面図であり、図３４Ａはヒンジに隣接しているが信号−電力モジュールのみを介しており、図３４Ｂはヒンジを介している。
【００８４】
各電子ディスプレイ基板１３０はブレード１１０の高さとほぼ同じであり、約半分の幅であり、これにより１つのブレードが２つの電子ディスプレイ基板１３０を支えることがさらに好ましい。図３５は２つのＬＥＤ基板の１および複数のブレードアセンブリの平面図であり、複数のブレードに配置されて電子ディスプレイを組み立てるための図３０−図３４の様々なコネクタをそれぞれ示している。図３５Ａでは、ブレードアセンブリ１１４および１１４’がヒンジ１２０’によって垂直端部で接続され、ブレードアセンブリ１１４および１１４”がヒンジ１２０”によって垂直端部で接続される。
【００８５】
図３５Ａでは、ブレードアセンブリ１１４”および１１４’がディスプレイ１１０の対向する垂直端部でそれぞれヒンジ１２０’’’および１２０”によって上および下に配置された水平に隣接するブレードアセンブリに接続される。
【００８６】
図３６Ａでは、細長いブレードアセンブリ１１４の１つの列がより大きなフレームにタイル状に取り付けられる。図３６Ｂでは、複数のアセンブリ１１４がより大きなフレーム４２０にタイル状に取り付けられ、中間に垂直支柱４２５を有する。図３７に示すこのようなディスプレイ１００の斜視図では、左側のアセンブリ１１４が分解されて図３１の部品を示しており、右側は下部アセンブリ１１４を除いたＬＥＤ面のみを示すアセンブリで完成されている。
【００８７】
図３５Ｂではヒンジ１２０に取り付けられ、ディスプレイ１００の隣接するタイル状のアセンブリ１１４の垂直面を接続する。
【００８８】
信号−電力分配モジュール１４０は正面に少なくとも１つの端子コネクタを有し、細長いディスプレイ基板１３０の少なくとも１つの裏面の第１端子コネクタと連結して係合しており、第１および第２の信号−電力コネクタ１５１および１５２の少なくとも１つが少なくとも１つの細長いブレード１１０を通過して、ＬＥＤ基板の第１および第２電源コネクタの他方と係合する。
【００８９】
図３６Ａおよび図３６Ｂは、１および複数のブレードアセンブリの平面図であり、ヒンジを用いることなく支持する矩形フレーム４２０へのブレードアセンブリの取り付けを示している。フレーム４２０は、複数列の細長いブレードを支えることができ、一組のＬＥＤディスプレイ基板１３０を支える各ブレードとしてこの図に示される。フレームの側面は一連のねじ穴またはストレート孔を有することができ、細長いブレード１１０の対向面を受け取る。さらに図３６Ｂと図３７に示すように、２以上の列の細長いブレードがフレーム４２０に接続されるか、または連結される場合、同様に細長いブレード１１０を受け取るための孔アレイを有する少なくとも１つの垂直支柱４２５を提供することが好ましい。この図はさらに、信号−電力分配モジュール１６０の１つを示している。
【００９０】
本発明は好適な実施形態に関して記載されたが、本発明の範囲を特定の形式に限定するよう意図しておらず、それどころか、添付された特許請求の範囲によって規定される本発明の趣旨と範囲内にある代替、変形および均等物をカバーするよう意図している。
【手続補正２】
【補正対象書類名】特許請求の範囲
【補正対象項目名】全文
【補正方法】変更
【補正の内容】
【特許請求の範囲】
【請求項１】
電子ディスプレイにおいて、
ａ）第１の高さと第１の幅、正面と背面、および頂部と底部の対向水平面によって分離される対向側面を有する少なくとも１つの実質的に矩形の細長いブレードを具え、
ｉ）第２の高さと第２の幅、正面と背面、および頂部と底部の対向水平面によって分離される対向側面を有する、複数の細長いディスプレイ基板であって、
（１）各々の細長いディスプレイ基板の正面に複数の表示画素として配置されたＬＥＤアレイと、
（２）各々の細長いディスプレイ基板の背面の少なくとも１つの背面端子コネクタであって、前記ＬＥＤアレイ内のＬＥＤに送られる信号および電力の少なくとも１つを受信するための背面端子コネクタとを有し、
（３）前記第２の高さが前記第１の高さと実質的に同じである、ディスプレイ基板と、
ｉｉ）信号と電力を送り、隣接する細長いディスプレイ基板を接続するための手段と、
ｉｉｉ）正面に少なくとも１つの正面端子コネクタを有し、前記細長いディスプレイ基板の少なくとも１つの背面の少なくとも１つの背面端子コネクタと連結して係合する信号−電力分配モジュールと、
ｉｖ）前記少なくとも１つの細長いブレードの後ろに延びる前記信号−電力分配モジュールを介して各々のＬＥＤアレイのＬＥＤに信号および電力の少なくとも１つを提供するための少なくとも１つのケーブルとを具えることを特徴とする電子ディスプレイ。
【請求項２】
請求項１に記載の電子ディスプレイにおいて、前記第２の幅が前記第１の幅の約半分以下であり、これにより前記少なくとも１つの細長いブレードが少なくとも２つの側方に隣接する細長いディスプレイ基板を支えることを特徴とする電子ディスプレイ。
【請求項３】
請求項１に記載の電子ディスプレイがさらに、前記少なくとも１つの細長いブレードより上に垂直に隣接して配置され、タイル状の配置で連結される第２の細長いブレードを少なくとも具え、これにより前記垂直に隣接する細長いブレードの水平端部の画素間の間隔が各々の細長いブレード内の画素間の間隔と同じになることを特徴とする電子ディスプレイ。
【請求項４】
請求項３に記載の電子ディスプレイにおいて、前記少なくとも１つの細長いブレードのそれぞれの信号−電力ケーブルが垂直に隣接する細長いブレードの信号−電力分配モジュールに取り付けられることを特徴とする電子ディスプレイ。
【請求項５】
請求項４に記載の電子ディスプレイにおいて、前記少なくとも１つの細長いブレードが前記第２の細長いブレードにヒンジ接続することを特徴とする電子ディスプレイ。
【請求項６】
請求項３に記載の電子ディスプレイにおいて、前記少なくとも１つの細長いブレードが連結ヒンジを介して前記第２の細長いブレードにヒンジ接続しており、前記信号−電力分配モジュールと前記接続された細長いブレードとを支えるように配置された少なくとも１つのヒンジを有することを特徴とする電子ディスプレイ。
【請求項７】
請求項３に記載の電子ディスプレイにおいて、前記少なくとも１つの細長いブレードが共通のフレームによって前記第２の細長いブレードに連結されることを特徴とする電子ディスプレイ。
【請求項８】
請求項７に記載の電子ディスプレイにおいて、前記共通のフレームが、前記電子ディスプレイのＬＥＤアレイ面からアクセスできる取り外し可能なコネクタを介して背面で各々の細長いブレードに接続されることを特徴とする電子ディスプレイ。
【請求項９】
請求項１に記載の電子ディスプレイにおいて、少なくとも１つの細長いブレードがタイル状の配置で第２の側方に隣接する細長いブレードに側面で接続されており、これにより各々の細長いディスプレイ基板の隣接する垂直端部の画素間の間隔が各々の細長いディスプレイ基板内の画素間の間隔と同じになることを特徴とする電子ディスプレイ。
【請求項１０】
請求項１に記載の電子ディスプレイにおいて、前記信号−電力分配モジュールがさらに前記正面に第１および第２の正面コネクタを具え、前記第１および第２の正面コネクタの各々が側方に隣接する細長いディスプレイ基板の前記背面端子コネクタと連結して係合しており、前記ＬＥＤアレイのＬＥＤに信号および電力を分配することを特徴とする電子ディスプレイ。
【請求項１１】
請求項６に記載の電子ディスプレイにおいて、各々の細長いブレードが前記ヒンジに取り外し可能に取り付けられており、当該取り外し可能な取り付けが前記ＬＥＤアレイのＬＥＤを含む面からアクセス可能であり、これにより隣接する細長いブレードを取り外す必要なく、前記細長いブレードが自身に配置された細長いディスプレイ基板の正面においてヒンジから取り外し可能であることを特徴とする電子ディスプレイ。
【請求項１２】
請求項６に記載の電子ディスプレイにおいて、前記信号−電力分配モジュールが電力および信号の少なくとも１つを前記少なくとも１つのケーブルで接続し、その経路を２つの側方に隣接する細長いディスプレイ基板に提供する電力分電盤を具えることを特徴とする電子ディスプレイ。
【請求項１３】
請求項１２に記載の電子ディスプレイにおいて、前記ケーブルから少なくとも１つの細長いブレードの電力分電盤へ電力および信号の少なくとも１つを送る経路が、少なくとも２つの細長いディスプレイ基板を支えるヒンジの開口部を通ることを特徴とする電子ディスプレイ。
【請求項１４】
請求項１３に記載の電子ディスプレイにおいて、各々の細長いブレードが前記ヒンジに取り外し可能に取り付けられており、当該取り外し可能な取り付けが前記ＬＥＤアレイのＬＥＤを含む面からアクセス可能であり、これにより隣接する細長いブレードを取り外す必要なく、前記細長いブレードが自身に配置された細長いディスプレイ基板の正面においてヒンジから取り外し可能であることを特徴とする電子ディスプレイ。
【請求項１５】
請求項１に記載の電子ディスプレイにおいて、前記信号−電力ケーブルが前記信号−電力分配モジュールに信号および電力の双方を送信し、ＬＥＤアレイ内の選択されたＬＥＤを起動することを特徴とする電子ディスプレイ。
【請求項１６】
請求項６に記載の電子ディスプレイにおいて、前記連結ヒンジが前記細長いブレードと当該細長いブレードに接続した連結ヒンジとの重心に配置された回転係合手段を有することを特徴とする電子ディスプレイ。
【請求項１７】
フレキシブル電子ディスプレイにおいて、
ａ）垂直アレイ内の複数の水平に細長い実質的に剛体の部材であって、各々の剛体の部材が正面と背面を有し、規則的な間隔の画素を形成するよう側方に配列した複数のＬＥＤを含み、当該複数のＬＥＤが各々の剛体の部材の電力および信号制御モジュールに接続されている、剛体の部材と、
ｂ）隣接する剛体の部材の前記制御モジュールのそれぞれの間にフレキシブルな信号および電力接続部とを具え、
ｃ）各垂直アレイ内の剛体の部材のそれぞれが、複数のフレキシブルな連結ヒンジによって上方もしくは下方に隣接する剛体の部材の少なくとも１つに接続され、各々が正面と背面を有し、
ｄ）前記剛体の部材が前記フレキシブルな連結ヒンジの正面に配置され、前記フレキシブルな信号および電力接続部の少なくとも一部が前記連結ヒンジの背面に配置されることを特徴とするフレキシブル電子ディスプレイ。
【請求項１８】
請求項１７に記載のフレキシブル電子ディスプレイにおいて、前記複数のフレキシブルな連結ヒンジが前記剛体の部材の重心に配置された回転係合手段を有することを特徴とする電子ディスプレイ。
【請求項１９】
携帯型ディスプレイにおいて、
ａ）軸と、
ｂ）前記軸に沿って側方に間隔を隔てた関係で前記軸に取り付けられる複数のフレキシブルな支持手段と、
ｃ）フレキシブル電子ディスプレイ面であって、
（１）垂直アレイ内の複数の水平に細長い実質的に剛体の要素において、各々の剛体の要素が正面と背面を有し、規則的な間隔の画素を形成するよう側方に配列した複数のＬＥＤを含み、当該複数のＬＥＤが各々の剛体の要素の電力および信号制御モジュールに接続されている、剛体の要素と、
（２）隣接する剛体の要素の制御モジュールのそれぞれの間にフレキシブルな信号および電力接続部とを有する、フレキシブル電子ディスプレイ面と、
ｄ）前記軸から前記フレキシブルな支持手段の対向端に固定された棒材とを具え、
ｅ）各々のフレキシブルな支持手段が各垂直アレイ内の剛体の要素の背面に取り付けられており、前記フレキシブルな支持手段を引っ張ると、隣接する剛体の要素にＬＥＤの規則的な垂直間隔が提供され、前記複数の水平に細長い実質的に剛体の要素のそれぞれの内および間に画素の均一な間隔が提供されることを特徴とする携帯型ディスプレイ。
【請求項２０】
携帯型ディスプレイキャリアにおいて、
ａ）対向側に配置された少なくとも２つの間隔を隔てた車輪を有する細長い車台と、
ｂ）少なくとも１つの開口面を有し、前記車台に配置され、巻き上げたフレキシブルディスプレイを入れるための収納手段と、
ｃ）前記収納手段の端部で車台より上に垂直に伸ばすことが可能な少なくとも１つの剛体の支柱部材とを具え、各々の剛体の支柱部材は、フレキシブルアレイを前記収納手段から拡張するときに前記フレキシブルアレイの直立移動を駆動するための連結部を有することを特徴とする携帯型ディスプレイキャリア。
【請求項２１】
大型の携帯型ディスプレイを組み立てるための方法において、
ａ）保護収納手段を提供するステップと、
ｂ）前記保護収納手段内に巻き上げた構成で請求項１９に記載のディスプレイを提供するステップであって、前記軸がその両端で回転可能に係合するステップと、
ｃ）前記保護収納手段内に巻き上げた構成から前記ディスプレイを展開するように前記軸を回転するステップとを含むことを特徴とする方法。
【手続補正３】
【補正対象書類名】図面
【補正対象項目名】図６
【補正方法】変更
【補正の内容】
【図６】
2012508402.tif 000001
【手続補正４】
【補正対象書類名】図面
【補正対象項目名】図９
【補正方法】変更
【補正の内容】
【図９】
2012508402.tif 000002
【手続補正５】
【補正対象書類名】図面
【補正対象項目名】図１５
【補正方法】変更
【補正の内容】
【図１５】
2012508402.tif 000003
【手続補正６】
【補正対象書類名】図面
【補正対象項目名】図３２
【補正方法】変更
【補正の内容】
【図３２】
2012508402.tif 000004
【手続補正７】
【補正対象書類名】図面
【補正対象項目名】図３４
【補正方法】変更
【補正の内容】
【図３４】
2012508402.tif 000005